(57)【要約】      （修正有）【課題】電磁気妨害遮蔽及び放熱機能を有する電磁気妨害遮蔽装置を提供できる。【解決手段】放熱機能を有する電磁気妨害遮蔽装置は電磁気妨害遮蔽カバー１０と、放熱シート２０とを含み、該電磁気妨害遮蔽カバー１０は一つの頂面１２と、二つの対向した第一側面１４と、二つの対向した第二側面１６とを備え、該頂面１２、第一側面１４及び第二側面１６はキャビテーを囲んで形成する。前記放熱シート２０は該キャビテーに収容される。その他の電子素子から生じた該電磁気妨害が原因で該電磁気妨害遮蔽装置の中に収容された電子素子６４に影響を与えることを防止できると共に、該電子素子６４から生じた電磁気妨害が原因でその他の電子素子に影響を与えることを防止でき、同時に、該電子素子６４の温度を有効に低減させることができる。【選択図】図３
2006352117.tif 000002
【特許請求の範囲】
【請求項１】
電気回路における電子素子の電磁気妨害を遮蔽することに用いられる電磁気妨害遮蔽装置であって、電磁気妨害遮蔽カバーを含み、該電磁気妨害遮蔽カバーは一つの頂面と、二つの対向した第一側面と、二つの対向した第二側面とを備え、該頂面、第一側面及び第二側面はキャビテーを囲んで形成する電磁気妨害遮蔽装置において、
前記電子素子からの熱を放熱するための放熱シートを含み、該放熱シートは前記キャビテーに収容されることを特徴とする電磁気妨害遮蔽装置。
【請求項２】
前記電磁気妨害遮蔽装置は前記放熱シートに貼り付けられる熱伝導シートを含むことを特徴とする請求項１に記載の電磁気妨害遮蔽装置。
【請求項３】
前記熱伝導シートはシリコーンゴムシート又は相変化を生じることができる酸化アルミニウムシート、アルミニウムシートが選択されることを特徴とする請求項２に記載の電磁気妨害遮蔽装置。
【請求項４】
前記放熱シートの対向した側辺には槽をそれぞれ設け、二つの前記第一側面には該槽に収容されるロック部をそれぞれ設けることを特徴とする請求項１〜３のいずれかの一項に記載の電磁気妨害遮蔽装置。
【請求項５】
前記頂面には開口を設け、前記放熱シートは該開口を遮蔽できることを特徴とする請求項１〜３のいずれかの一項に記載の電磁気妨害遮蔽装置。
【請求項６】
前記開口の対向した二つの側辺にはバネをそれぞれ形成することを特徴とする請求項１〜３のいずれかの一項に記載の電磁気妨害遮蔽装置。
【請求項７】
前記第二側面の対向した二つの側辺には位置決め柱をそれぞれ形成することを特徴とする請求項１〜３のいずれかの一項に記載の電磁気妨害遮蔽装置。
【発明の詳細な説明】
【技術分野】
【０００１】
本発明は電磁気妨害遮蔽装置に係り、特に電磁気妨害遮蔽及び放熱機能を有する電磁気妨害遮蔽装置に関するものである。
【背景技術】
【０００２】
現在の電気回路において、高周波回路、コンピューター化された回路及びデジタル回路などの電子装置の集中化から生じた電磁気妨害は、該電気回路の機能及び人類の健康に妨害を与える。該電磁気妨害を防止するために、電磁気信号を生成する電子装置を密封し接地された金属からなる電磁気妨害遮蔽装置に収容し、該電磁気妨害遮蔽装置は一つの頂面、四つの側面、及び前記電子装置を収容することができるキャビテーを備える。
【０００３】
図１を参照して、特許文献１に記載の電磁気妨害遮蔽装置４０の上表面には、その回りに設けられたシール４２、該シール４２で囲んだ頂面４４、及びそれぞれ頂面４４の四つの頂角に設けられた四つの三角形の開口４６が設けられる。電磁気妨害遮蔽装置４０に収容された電子装置を取り出したい時に、ツールを三角形の開口４６に入れて頂面４４と側面４８とがツールで分離するように頂面４４に作用力を加える。こうすると、頂面４４が側面４８から脱離した後に再利用されることはできないので、浪費となった。また、前記電子装置が作動する時に、発生した多くの熱が原因で、該電子装置の機能に影響を与え、更に該電子装置を損傷するという問題がある。
【０００４】
図２は、特許文献２に記載の電磁気妨害遮蔽装置５０である。該電磁気妨害遮蔽装置５０は頂面５２と、電磁気妨害遮蔽素子５４とを備え、該頂面５２に放熱孔５６を設ける。該電磁気妨害遮蔽５０は、放熱することを実現することができるが、一部の電磁気が該放熱孔５６を通じて漏れるという問題を生じる。
【特許文献１】米国特許第６、１７８、０９７号明細書
【特許文献２】台湾特許第５１９３８３号明細書
【発明の開示】
【発明が解決しようとする課題】
【０００５】
以上の問題点に鑑みて、本発明は、電磁気妨害遮蔽及び放熱機能を有する電磁気妨害遮蔽装置を提供することを目的とする。
【課題を解決するための手段】
【０００６】
放熱機能を有する電磁気妨害遮蔽装置は電磁気妨害遮蔽カバーと、放熱シートとを含み、該電磁気妨害遮蔽カバーは一つの頂面と、二つの対向した第一側面と、二つの対向した第二側面とを備え、該頂面、第一側面及び第二側面はキャビテーを囲んで形成する。前記放熱シートは該キャビテーに収容される。
【０００７】
前記電磁気妨害遮蔽装置は前記放熱シートに貼り付けられる熱伝導シートを含み、該熱伝導シートはシリコーンゴムシート又は相変化を生じることができる酸化アルミニウムシート、アルミニウムシートなどの熱伝導材料シートからなることが好ましい。
【０００８】
前記放熱シートの対向した側辺には槽をそれぞれ設け、二つの前記第一側面には該槽に収容されるロック部をそれぞれ設けることが好ましい。
【０００９】
前記頂面に開口を設け、該開口の対向した二つの側辺には略波型状のバネをそれぞれ形成することが好ましい。
【発明の効果】
【００１０】
本発明に係る電磁気妨害遮蔽装置は電磁気妨害遮蔽カバー、放熱シート及び熱伝導シートを含み、従って、その他の電子素子から生じた該電磁気妨害が原因で該電磁気妨害遮蔽装置の中に収容された電子素子に影響を与えることを防止できると共に、該電子素子から生じた電磁気妨害が原因でその他の電子素子に影響を与えることを防止でき、同時に、該電子素子の温度を有効に低減させることとなり、これによって、電子素子の機能を保証できる。
【発明を実施するための最良の形態】
【００１１】
以下図面に基づいて、本発明の実施形態に係る電磁気妨害遮蔽装置を詳細に説明する。
【００１２】
図３を参照して、本発明の電磁気妨害遮蔽装置は電気回路基板６０に組立てられる。該電磁気妨害遮蔽装置は電磁気妨害遮蔽カバー１０と、放熱シート２０と、熱伝導シート３０とを含む。
【００１３】
電気回路基板６０は電子素子６４、及び四つの組立孔６２を含む。
【００１４】
図４を同時に参照して、電磁気妨害遮蔽カバー１０は頂面１２と、対向した二つの第一側面１４と、対向した二つの第二側面１６とを含む。前記第一側面１４は前記第二側面１６と垂直に連接し、前記頂面１２はそれぞれ第一側面１４と第二側面１６と垂直に連接する。頂面１２、第一側面１４及び第二側面１６は電子素子６４を収容するためのキャビテー１８を囲んで形成する。頂面１２の中央部分には開口１２０を設け、該開口１２０の対向した二つの側辺にはバネ１２２をそれぞれ形成する。該バネ１２２は略波型状にされ、その端末が上方向へ曲がる。第一側面１４の内表面にはそれぞれ第二側面１６の近くに二つのロック部１４２を突設する。該ロック部１４２は第一側面１４の外表面を内方向へ打ち込むことにより形成されたものであり、同時に該第一側面１４の外表面の対応した位置には二つの槽１４４を形成する。即ち、前記ロック部１４２は前記キャビテー１８へ突設される。前記二つの第二側面１６は全て底部に二つの位置決め柱１６２を設け、該位置決め柱１６２は電磁気妨害遮蔽カバー１０の位置決め、及び該電磁気妨害遮蔽カバー１０を係合又はめっきによって前記回路基板６０を固定させることに用いられる。
【００１５】
放熱シート２０はアルミニウムシート又は銅シートなどの放熱機能を有する材料からなるシートである。放熱シート２０は正方形、三角形、円形、菱形等の形状が形成される。該放熱シート２０は、前記開口１２０の面積より大きくなるように形成され、組立てた後に該開口１２０を密封して電磁気妨害が該開口１２０から漏れることを有効に防止できる。該放熱シート１２０の対向した二つの側辺には、前記ロック部１４２と係合することによって、放熱シート１２０を電磁気妨害遮蔽カバー１０に組立てるための凹部２２を設ける。
【００１６】
熱伝導シート３０は、シリコーンゴムシート又は相変化を生じることができる酸化アルミニウムシート、アルミニウムシートなどの熱伝導材料シートが選択される。
【００１７】
図３乃至図５を参照して、組立てる時に、まず、熱伝導シート３０を放熱シート２０に貼り付けて、該放熱シート２０を電磁気妨害遮蔽カバー１０のキャビテー１８に入れ且つ該電磁気妨害遮蔽カバー１０のロック部１４２と放熱シート２０の凹部２２とを係合すると共に、該電磁気妨害遮蔽カバー１０のバネ１２２を放熱シート２０に圧接させるようにする。こうすると、熱伝導シート３０、放熱シート２０及び該電磁気妨害遮蔽カバー１０を一体的な構造体に組立て形成する。その後、該構造体を電子素子６４の上に覆い、且つ該電磁気妨害遮蔽カバー１０の四つの位置決め柱１６２を対応した回路基板６０の組立孔６２に挿入し、更に位置決め柱１６２と組立孔６２との係合又はめっきによって該電磁気妨害遮蔽カバー１０を回路基板６０に固定させる。従って、該電磁気妨害遮蔽カバー１０によって、その他の電子素子から生じた該電磁気妨害が原因で電子素子６４に影響を与えることを防止できると共に、電子素子６４から生じた該電磁気妨害が原因でその他の電子素子に影響を与えることを防止でき、同時に、電子素子６４の温度を有効に低減させることとなり、これによって、電子素子６４の機能を保証できる。
【００１８】
電子素子６４を取り換える又はメンテナンスする時に、めっきを除去した後ツール（例えばスクリュードライバー、図示せず）を該電磁気妨害遮蔽カバー１０の槽１４４に挿入し、或いはツールを該電磁気妨害遮蔽カバー１０に直接に挿入するようにすると、熱伝導シート３０、放熱シート２０及び該電磁気妨害遮蔽カバー１０からなる一体的な構造体を取り外すことができる。
【００１９】
該電磁気妨害遮蔽カバー１０の第一側面１４に槽１４４を設けていることによっては、熱伝導シート３０、放熱シート２０及び該電磁気妨害遮蔽カバー１０からなる一体的な構造体の組立及び取り外しが容易となった。
【００２０】
前記放熱シート２０を該電磁気妨害遮蔽カバー１０に組立てた後に、該電磁気妨害遮蔽カバー１０の頂面１２のバネ１２２は、放熱シート２０を該電磁気妨害遮蔽カバー１０にしっかりと組立てるように付勢を提供することができる。同時に、前記バネ１２２は放熱シート２０に貼り付けた熱伝導シート３０を該電子素子６４に近づけるような付勢を提供して、電子素子６４からの熱が早く放出し、電子素子６４の機能を保証することができる。
【００２１】
放熱効果を向上させるために、放熱機能を有する電磁気妨害遮蔽装置にヒートシンクを組付けることが好ましい。
【図面の簡単な説明】
【００２２】
【図１】従来の一電磁気妨害遮蔽装置の組立図である。
【図２】従来の第二の電磁気妨害遮蔽装置の組立図である。
【図３】本発明の実施状態の電磁気妨害遮蔽装置の分解図である。
【図４】図３の電磁気妨害遮蔽カバーの上面図である。
【図５】図３の組立図である。
【符号の説明】
【００２３】
１０、４０、５０    電磁気妨害遮蔽カバー
１２、４４、５２    頂面
１２０              開口
１２２              バネ
１４                第一側面
１４４              槽
１６                第二側面
１６２              位置決め柱
１８                キャビテー
２０                放熱シート
２２                凹部
３０                熱伝導シート
４２                シール
４６                三角形の開口
４８                側面
５４                電磁気妨害遮蔽素子
５６                放熱孔
６０                電気回路基板
６２                組立孔
６４                電子素子
【図１】
2006352117.tif 000003
【図２】
2006352117.tif 000004
【図３】
2006352117.tif 000005
【図４】
2006352117.tif 000006
【図５】
2006352117.tif 000007